【手続補正書】
【提出日】平成18年6月6日(2006.6.6)
【手続補正１】
【補正対象書類名】特許請求の範囲
【補正対象項目名】全文
【補正方法】変更
【補正の内容】
【特許請求の範囲】
【請求項１】
（ａ）グラファイトからなる部材を準備する工程と、
（ｂ）前記部材の表面をプラズマに晒す処理、前記部材の表面の機械的研磨を行う処理、及び前記部材の表面にレーザビームを照射する処理からなる群より選択された少なくとも１つの処理を行うことにより、該部材の表面に凹凸を形成する工程と
を有する冷陰極の製造方法。
【請求項２】
（ａ）グラファイトからなる部材を準備する工程と、
（ｂ）前記部材の表面を水素プラズマに晒すことにより、凹凸を形成する工程と
を有する冷陰極の製造方法。
【請求項３】
表面に、母材と一体の微細な突起が形成されたグラファイトからなる冷陰極と、
前記冷陰極に対向するように配置された電子引出電極と、
前記冷陰極と前記電子引出電極とに、該冷陰極から電子が放出される大きさの電圧を印加する第１の電源と、
前記冷陰極から放出された電子が衝突する位置に配置され、電子の衝突によって放射線を放射するターゲットと、
前記ターゲットに、前記電子引出電極に対して正の電圧を印加する第２の電源と
を有し、前記ターゲットが、尖った先端を有する導電性材料で形成されており、前記冷陰極の表面の任意の点を中心として前記ターゲットの先端を通過する仮想的な球面を描いた時、該ターゲットが前記仮想的な球面の内側に入らないように配置されている放射線源。
【請求項４】
表面に、母材と一体の微細な突起が形成されたグラファイトからなる冷陰極と、
前記冷陰極に対向するように配置され、該冷陰極から電子を放出させる電圧が印加される電子引出電極と、
前記冷陰極から放出された電子を加速する電界を発生させる陽極と、
前記陽極により加速された電子が衝突する位置に配置され、電子の衝突によって光を放射する蛍光材料からなる蛍光部材と
を有する照明装置。
【請求項５】
表面に、母材と一体の微細な突起が形成されたグラファイトからなる冷陰極と、
前記冷陰極に対向するように配置され、該冷陰極から電子を放出させる電圧が印加される電子引出電極と、
相互に異なる電圧が印加され、前記冷陰極から放出された電子を加速する電界を発生させる第１及び第２の陽極と、
前記第１及び第２の陽極により加速された電子が衝突する位置に配置され、電子の衝突によって可視光を放射する蛍光材料からなる蛍光部材と、
前記第１の陽極によって加速された電子の衝突する位置から放射された第１の可視光を前方に集光させる第１の集光器と、
前記第２の陽極によって加速された電子の衝突する位置から放射された第２の可視光が、前記第１の可視光の照射領域からずれた領域に照射されるように、該第２の可視光を集光させる第２の集光器と
を有する照明装置。
【請求項６】
表面に、母材と一体の微細な突起が形成されたグラファイトからなる冷陰極と、
前記冷陰極の周囲を取り囲むように配置され、該冷陰極から電子を放出させる電圧が印加される金属層と、
前記金属層に印加された電圧によって前記冷陰極から放出された電子が入射し、電子の入射によって蛍光を放射する蛍光体層と
を有する照明装置。
【請求項７】
表面に、母材と一体の微細な突起が形成されたグラファイトからなる冷陰極と、
前記冷陰極に対向するように配置されたアノード電極と、
前記冷陰極と前記アノード電極とに、該冷陰極から電子が放出される大きさの電圧を印加する第１の電源と
を有する冷陰極装置。
【手続補正２】
【補正対象書類名】明細書
【補正対象項目名】０００９
【補正方法】変更
【補正の内容】
【０００９】
本発明の一観点によると、
（ａ）グラファイトからなる部材を準備する工程と、
（ｂ）前記部材の表面をプラズマに晒す処理、前記部材の表面の機械的研磨を行う処理、及び前記部材の表面にレーザビームを照射する処理からなる群より選択された少なくとも１つの処理を行うことにより、該部材の表面に凹凸を形成する工程と
を有する冷陰極の製造方法が提供される。
【手続補正３】
【補正対象書類名】明細書
【補正対象項目名】００１０
【補正方法】変更
【補正の内容】
【００１０】
本発明の他の観点によると、
（ａ）グラファイトからなる部材を準備する工程と、
（ｂ）前記部材の表面を水素プラズマに晒すことにより、凹凸を形成する工程と
を有する冷陰極の製造方法。
【手続補正４】
【補正対象書類名】明細書
【補正対象項目名】００１１
【補正方法】変更
【補正の内容】
【００１１】
本発明のさらに他の観点によると、
表面に、母材と一体の微細な突起が形成されたグラファイトからなる冷陰極と、
前記冷陰極に対向するように配置された電子引出電極と、
前記冷陰極と前記電子引出電極とに、該冷陰極から電子が放出される大きさの電圧を印加する第１の電源と、
前記冷陰極から放出された電子が衝突する位置に配置され、電子の衝突によって放射線を放射するターゲットと、
前記ターゲットに、前記電子引出電極に対して正の電圧を印加する第２の電源と
を有し、前記ターゲットが、尖った先端を有する導電性材料で形成されており、前記冷陰極の表面の任意の点を中心として前記ターゲットの先端を通過する仮想的な球面を描いた時、該ターゲットが前記仮想的な球面の内側に入らないように配置されている放射線源が提供される。
【手続補正５】
【補正対象書類名】明細書
【補正対象項目名】００１２
【補正方法】変更
【補正の内容】
【００１２】
本発明のさらに他の観点によると、
表面に、母材と一体の微細な突起が形成されたグラファイトからなる冷陰極と、
前記冷陰極に対向するように配置され、該冷陰極から電子を放出させる電圧が印加される電子引出電極と、
前記冷陰極から放出された電子を加速する電界を発生させる陽極と、
前記陽極により加速された電子が衝突する位置に配置され、電子の衝突によって光を放射する蛍光材料からなる蛍光部材と
を有する照明装置が提供される。
【手続補正６】
【補正対象書類名】明細書
【補正対象項目名】００１３
【補正方法】変更
【補正の内容】
【００１３】
本発明のさらに他の観点によると、
表面に、母材と一体の微細な突起が形成されたグラファイトからなる冷陰極と、
前記冷陰極に対向するように配置され、該冷陰極から電子を放出させる電圧が印加される電子引出電極と、
相互に異なる電圧が印加され、前記冷陰極から放出された電子を加速する電界を発生させる第１及び第２の陽極と、
前記第１及び第２の陽極により加速された電子が衝突する位置に配置され、電子の衝突によって可視光を放射する蛍光材料からなる蛍光部材と、
前記第１の陽極によって加速された電子の衝突する位置から放射された第１の可視光を前方に集光させる第１の集光器と、
前記第２の陽極によって加速された電子の衝突する位置から放射された第２の可視光が、前記第１の可視光の照射領域からずれた領域に照射されるように、該第２の可視光を集光させる第２の集光器と
を有する照明装置が提供される。
【手続補正７】
【補正対象書類名】明細書
【補正対象項目名】００１４
【補正方法】変更
【補正の内容】
【００１４】
本発明のさらに他の観点によると、
表面に、母材と一体の微細な突起が形成されたグラファイトからなる冷陰極と、
前記冷陰極の周囲を取り囲むように配置され、該冷陰極から電子を放出させる電圧が印加される金属層と、
前記金属層に印加された電圧によって前記冷陰極から放出された電子が入射し、電子の入射によって蛍光を放射する蛍光体層と
を有する照明装置が提供される。
【手続補正８】
【補正対象書類名】明細書
【補正対象項目名】００１５
【補正方法】変更
【補正の内容】
【００１５】
本発明のさらに他の観点によると、
表面に、母材と一体の微細な突起が形成されたグラファイトからなる冷陰極と、
前記冷陰極に対向するように配置されたアノード電極と、
前記冷陰極と前記アノード電極とに、該冷陰極から電子が放出される大きさの電圧を印加する第１の電源と
を有する冷陰極装置が提供される。